(57)【要約】【課題】広範囲に均一で適切な明るさを確保でき、小型化も図れ、デザインの自由度を向上させるインジケーター、電子機器、及びプロジェクターを提供する。【解決手段】インジケーター５は、発光ダイオード素子１５からの光を導光して光らせることにより情報表示し、インジケーター本体５０は、断面が略円弧状に形成されると共に断面に交差する方向に延びて形成される凹部５５を備え、凹部５５は、発光ダイオード素子１５からの光をインジケーター本体５０に導光させる。【選択図】図２
2013015750.tif 000002
【特許請求の範囲】
【請求項１】
入射する光を導光して光らせることにより情報表示するインジケーターであって、
前記インジケーター本体は、断面が略円弧状を有して形成される凹部を備え、
前記凹部は、前記入射する光を前記インジケーター本体に導光させることを特徴とするインジケーター。
【請求項２】
請求項１に記載のインジケーターであって、
前記凹部は、前記断面に交差する方向に半円筒形状に形成されていることを特徴とするインジケーター。
【請求項３】
請求項１に記載のインジケーターであって、
前記凹部は、皿状に形成されていることを特徴とするインジケーター。
【請求項４】
光を発光する発光素子と、
前記発光素子が実装される回路基板と、
請求項１〜請求項３のいずれか一項に記載のインジケーターが設置される外装筐体と、を備え、
前記発光素子は、前記実装された回路基板に対して、前記光を側方に射出し、前記インジケーター本体を導光させることを特徴とする電子機器。
【請求項５】
請求項４に記載の電子機器であって、
前記発光素子は、前記光を射出する発光面が前記略円弧状の中心線に略垂直で、前記発光面の中心が前記中心線からずれた位置に配置されていることを特徴とする電子機器。
【請求項６】
請求項１〜請求項３のいずれか一項に記載のインジケーターと、
前記インジケーターが設置される外装筺体と、
光源からの光束を画像信号に応じて変調し、画像光を形成する光変調装置と、
を備えることを特徴とするプロジェクター。
【発明の詳細な説明】
【技術分野】
【０００１】
本発明は、インジケーター、電子機器、及びプロジェクターに関する。
【背景技術】
【０００２】
従来、インジケーターは、発光ダイオード素子等からの光を導光させて外部に射出することで光らせ、情報表示を行っている。インジケーターが光ることにより、製品（電子機器等）の現在の状態（例えば、電源が入ったこと等）を利用者に知らせることができる。
【０００３】
このようなインジケーターは、一般的に、製品の外装筺体から外部に、例えばトップ部分が露出するように設置されている。そして、視認性向上やデザイン性向上等のために、トップ部分が均一で全体に光るように設置されている。なお、全体に光らせる（広範囲に光らせる）ために、発光ダイオード素子等の発光部と、発光部からの光を入射させるインジケーターの入射面との距離をできるだけ長くすることで、入射面の広い範囲に光が入射するように構成されている。
【０００４】
なお、特許文献１には、発光ダイオードバルブの前部をレンズで覆ってなる発光ダイオードバルブ式インジケーターにおいて、発光ダイオードバルブの発射光を広げる凹レンズの作用をなす凹部を、レンズに形成したことを特徴とする発光ダイオードバルブ式インジケーターが開示されている。また、この構成により、昼間の視認性を高め、夜間は目立ち過ぎを抑えることができるとしている。
【先行技術文献】
【特許文献】
【０００５】
【特許文献１】特開平１０−２４０１４２号公報
【発明の概要】
【発明が解決しようとする課題】
【０００６】
特許文献１では、凹部の形状として、同一中心の球面形状であることが図中から読み取れる。なお、インジケーターが細長く、発光ダイオード素子からの光が入射する入射面の幅が狭い形状を有していても、均一で広範囲に光らせたい場合に、特許文献１の構成を適用した場合、効果はあるが、入射面の幅が狭いため、凹部の直径を大きくできずに、広範囲に均一で適切な明るさを確保することができないという課題があった。また、インジケーターの面積が広く、入射面の面積も広い場合に、特許文献１を適用した場合には、凹部の直径を大きくできるが凹部の深さが深くなり、インジケーターの小型化ができないという課題があった。これらにより、製品のデザイン（意匠や設計）にも制約を与えるという課題もあった。
従って、広範囲に均一で適切な明るさを確保でき、小型化も図れ、デザインの自由度を向上させるインジケーター、電子機器、及びプロジェクターが要望されていた。
【課題を解決するための手段】
【０００７】
本発明は、上述した課題の少なくとも一部を解決するためになされたものであり、以下の適用例として実現することが可能である。
【０００８】
［適用例１］本適用例に係るインジケーターは、入射する光を導光して光らせることにより情報表示するインジケーターであって、インジケーター本体は、断面が略円弧状を有して形成される凹部を備え、凹部は、入射する光をインジケーター本体に導光させることを特徴とする。
【０００９】
このようなインジケーターによれば、凹部は、広範囲に均一で適切な明るさを確保することができる。また、従来のように凹部の深さを深くしなくてもよいため、インジケーターの小型化を図ることができる。これにより、製品の意匠や設計の自由度を向上させることができる。
【００１０】
［適用例２］上記適用例に係るインジケーターにおいて、凹部は、断面に交差する方向に半円筒形状に形成されていることが好ましい。
【００１１】
このようなインジケーターによれば、凹部が断面に交差する方向に半円筒形状に延びて形成されることにより、インジケーター本体の幅が狭い場合や広い場合等に、容易に対応させることができ、広範囲に均一で適切な明るさを確保することができる。特に、インジケーター本体の幅が狭い場合にも適しており、上記と同様の効果を奏することができる。
【００１２】
［適用例３］上記適用例に係るインジケーターにおいて、凹部は、皿状に形成されていることが好ましい。
【００１３】
このようなインジケーターによれば、凹部が皿状に形成されることにより、上記と同様の効果を奏することができる。特に、インジケーター本体の幅を含む面積が広い場合に適しており、上記と同様の効果を奏することができる。
【００１４】
［適用例４］本適用例に係る電子機器は、光を発光する発光素子と、発光素子が実装される回路基板と、上記適用例のいずれかのインジケーターが設置される外装筐体と、を備え、発光素子は、実装された回路基板に対して、光を側方に射出し、インジケーター本体を導光させることを特徴とする。
【００１５】
このような電子機器によれば、インジケーター本体の幅を含む面積の広さや、インジケーター本体の形状等に対応させて凹部を設置することができ、意匠や設計の自由度を向上させる電子機器を実現できる。
【００１６】
［適用例５］上記適用例に係る電子機器において、発光素子は、光を射出する発光面が略円弧状の中心線に略垂直で、発光面の中心が中心線からずれた位置に配置されていることが好ましい。
【００１７】
このような電子機器によれば、発光素子が、光を射出する発光面が略円弧状の中心線に略垂直で、発光面の中心が中心線からずれた位置に配置されているため、凹部に対して効率的に光を照射し、広範囲に均一で適切な明るさを確保することができる。また、視認性を含む表示品質向上や、小型化や、デザインの自由度向上を図ることができる電子機器を実現することができる。
【００１８】
［適用例６］本適用例に係るプロジェクターは、上記適用例のいずれかのインジケーターと、インジケーターが設置される外装筺体と、光源からの光束を画像信号に応じて変調し、画像光を形成する光変調装置と、を備えることを特徴とする。
【００１９】
このようなプロジェクターによれば、視認性を含む表示品質向上や、小型化や、デザインの自由度向上を図ることができるプロジェクターを実現することができる。
【図面の簡単な説明】
【００２０】
【図１】第１実施形態に係るプロジェクターの外観図を示す斜視図。
【図２】インジケーターを示す斜視図。
【図３】インジケーターの動作を示す断面図。
【図４】第２実施形態に係るインジケーターを示す斜視図。
【図５】インジケーターの動作を示す断面図。
【発明を実施するための形態】
【００２１】
以下、実施形態を図面に基づいて説明する。
（第１実施形態）
【００２２】
図１は、第１実施形態に係るプロジェクター１の外観図を示す斜視図である。なお、図１は、プロジェクター１の前面２ｃ上方側から見た斜視図である。図１を参照して、プロジェクター１の構成及び動作を簡略に説明する。
本実施形態のプロジェクター１は、電子機器の一例として示している。プロジェクター１は、光源から射出された光束を画像情報に応じて変調して画像光を形成し、その画像光をスクリーン（図示省略）等に投写する。図１に示すように、プロジェクター１は、略直方体状の外装筺体２と、この外装筺体２内部に収容される図示省略する装置本体と、この外装筺体２から露出する投写レンズ３と、外装筺体２から露出して設置され、プロジェクター１の動作状態を表示するインジケーター５等を備える。
【００２３】
外装筺体２は、合成樹脂製の筺体であり、プロジェクター１の装置本体を収容する。投写レンズ３は、図１に示すように、外装筺体２の前面２ｃ中央部に装置本体から延出して設置される。また、投写レンズ３の右横には、装置本体を冷却するための外気を取り入れる開口部２１が設置され、投写レンズ３の左横には、装置本体を冷却して温まった空気を外部に排気する開口部２２が設置されている。
【００２４】
インジケーター５は、外装筺体２の上面２ａと右面２ｅとのコーナー部２３に設置される。また、外装筺体２の上面２ａには、プロジェクター１の動作を操作する操作パネル（図示省略）や、投写レンズ３のズーム調整やフォーカス調整を行う調整部（図示省略）等が設置される。外装筺体２の背面２ｄには、図示省略するインターフェイス部が設置され、外部の電子機器からの画像信号、音声信号等を入力する複数の接続端子が外部に露出している。
【００２５】
外装筺体２内部に収容される装置本体は、具体的な図示は省略するが、インターフェイス部から出力される信号や、操作パネルから出力される信号等に応じてプロジェクター１全体を制御する制御部、外部から供給された電力をプロジェクター１の各構成部材に供給する電源ユニット、外部から入力した画像情報に応じて画像光を形成する光学ユニット、プロジェクター１内部を冷却する冷却ユニット等で構成されている。
【００２６】
光学ユニットは、光源装置や、制御部の制御に基づき光源装置から射出された光束を画像情報に応じて変調して画像光を形成する光変調装置等を備える。なお、光変調装置としては、透過型の液晶パネル、反射型の液晶パネル、マイクロミラー型の光変調装置（例えば、ＤＭＤ（Digital Micromirror Device））等を採用できる。投写レンズ３は、筒状の鏡筒内に複数のレンズが収容された組レンズとして構成され、光学ユニットにより形成された画像光をスクリーン（図示省略）上に拡大投写する。
【００２７】
インジケーター５は、上述したように、外装筺体２の上面２ａと右面２ｅとのコーナー部２３に設置される。インジケーター５は、コーナー部２３の曲面に沿って延びる細長い形状で、前面２ｃ方向から背面２ｄ方向に等間隔に並んで３つ設置されている。本実施形態のインジケーター５は、プロジェクター１の現在の状態を利用者に知らせる（情報表示する）ものである。詳細には、インジケーター５が光ることにより、電源が入力されていることや、装置本体の温度が適正か否か等を知らせることが可能となっている。
【００２８】
なお、本実施形態を説明する図面（図１及び以降で説明する図）は、説明の便宜上、ＸＹＺ直交座標系を用いて示す。詳細には、プロジェクター１の背面２ｄから前面２ｃの方向をＸ軸方向（＋Ｘ方向）とする。また、Ｘ軸方向に直交して左面２ｆから右面２ｅの方向をＹ軸方向（＋Ｙ方向）とする。また、Ｘ軸方向及びＹ軸方向に直交し、底面２ｂから上面２ａの方向をＺ軸方向（＋Ｚ方向）とする。なお、＋Ｘ方向を前方向（−Ｘ方向を後方向）＋Ｙ方向を右方向（−Ｙ方向を左方向）、＋Ｚ方向を上方向（−Ｚ方向を下方向）として、適宜使用する。
【００２９】
図２は、インジケーター５を示す斜視図であり、図２（ａ）は、インジケーター５及び回路基板１０を上方から見た斜視図であり、図２（ｂ）は、インジケーター５を下方から見た斜視図である。図３は、インジケーター５の動作を示す断面図である。なお、図３は、インジケーター５のＸＺ平面における断面図であり、外装筺体２との位置関係も断面として図示している。図２、図３を参照して、インジケーター５の構成と動作を説明する。
【００３０】
インジケーター５は、上述したように、外装筺体２のコーナー部２３に設置されている。そして、図２、図３に示すように、インジケーター５の下方には、インジケーター５に光を射出する発光ダイオード素子１５が実装された回路基板１０が設置される。なお、回路基板１０は、上下方向（縦向き）に設置されている。また、発光ダイオード素子１５は、回路基板１０の上端部に実装されている。本実施形態の発光ダイオード素子１５は、側面方向から光を射出するタイプのものを採用している。
なお、以降の説明において、発光ダイオード素子１５を、ＬＥＤ（light emitting diode）素子１５と略して使用する。
【００３１】
インジケーター５は、透光性を有する合成樹脂材料により形成される。インジケーター５は、３つのインジケーター本体５０で構成されている。このインジケーター本体５０に対して、それぞれ前方から５１，５２，５３とする。この３つのインジケーター本体５０は、接続部５４により接続されて一体に構成されている。接続部５４には、３つのインジケーター本体５０に対応して３つの孔部５４１が形成されている。なお、ＬＥＤ素子１５も３つのインジケーター本体５０に対応させて、図２（ａ）に示すように、３つ実装されている。
【００３２】
３つのインジケーター本体５０は、略同様に構成されるため、以降では、一番前方に位置するインジケーター本体５１を取り上げて説明する。
【００３３】
インジケーター本体５１は、導光部５１１と、導光部５１１から導光された光を外部に射出するトップ部５１２とで構成される。導光部５１１は、下方に入射面５１１１が形成され、入射面５１１１から入射した光をトップ部５１２へ導光させる。なお、この入射面５１１１には、ＬＥＤ素子１５の上方向に相対する位置で、凹部５５（インジケーター本体５１の凹部を５５１とする）が形成されている。また、凹部５５１は、回路基板１０のＬＥＤ素子１５との距離を極力短くする位置に設置される。
【００３４】
凹部５５１は、図３に示すように、断面が円弧形状（本実施形態では、半径Ｒ１の円弧形状）を有して形成される。また、凹部５５１は、図２（ｂ）に示すように、この円弧形状の断面に交差する方向（本実施形態では、前後方向（Ｘ方向））に直線状に延びて形成されている。また、凹部５５１は、直線状の円筒状に形成されている。なお、本実施形態の凹部５５１は、図２（ｂ）に示すように、インジケーター本体５１の導光部５１１の幅全体に渡って形成されている。
【００３５】
外装筺体２は、トップ部５１２を案内して外面に露出させる開口部２５が形成される。インジケーター５は、トップ部５１２を開口部２５に挿通し、孔部５４１を介して外装筺体２に熱カシメ等により固定される。回路基板１０は、図示省略する固定部にネジ等により、外装筺体２内部に固定される。
【００３６】
なお、インジケーター本体５１の導光部５１１、トップ部５１２、入射面５１１１、凹部５５１に対応させて、インジケーター本体５２では、導光部５２１、トップ部５２２、入射面５２１１、凹部５５２とする。また、インジケーター本体５３では、導光部５３１、トップ部５３２、入射面５３１１、凹部５５３とする。これらの構成部は、インジケーター本体５１の対応する構成部と略同様に構成されている。
【００３７】
図３を参照して、インジケーター５（インジケーター本体５１）の動作に関して説明する。
ＬＥＤ素子１５は、光を射出する発光面が略円弧状の凹部５５１の中心線に略垂直で、発光面の中心が中心線からずれた位置に配置されており、ＬＥＤ素子１５の発光部から光が、側面方向（本実施形態では、上方向）に略円錐状に射出された場合、射出された光は、凹部５５１に入射する。凹部５５１に入射した光は、矢印Ａで示すように凹部５５１で拡散されて導光部５１１を導光する。導光部５１１を導光した光は、矢印Ａで示すようにトップ部５１２から外部に射出される。
【００３８】
なお、凹部５５１は、図２（ｂ）に示すように、入射面５１１１の幅方向（前後方向）全体に渡って形成されているため、略円錐状に射出された光は、凹部５５１の幅方向全体に入射し、導光部５１１を導光し、トップ部５１２から射出される。
以上の動作により、トップ部５１２からは全体（全面）に渡って略均一の光が射出される。
【００３９】
なお、上述したインジケーター本体５１の動作は、インジケーター本体５２，５３に対しても同様の動作となり、同様に、トップ部５２２，５３２からは全体（全面）に渡って略均一の光が射出される。
【００４０】
上述した実施形態によれば、以下の効果が得られる。
本実施形態のインジケーター５（インジケーター本体５１）は、凹部５５１が、半径Ｒ１の円弧形状の断面を有し、この断面に交差する前後方向（Ｘ方向）に延びて形成されている。また、凹部５５１は、直線状の半円筒状に形成され、導光部５１１の幅全体に渡って形成されている。これにより、インジケーター本体５１のトップ部５１２からは、全面に渡って均一で適切な明るさの光を射出することができる。
【００４１】
本実施形態のインジケーター５（インジケーター本体５１）は、凹部５５１を、ＬＥＤ素子１５の上方向に相対する位置でＬＥＤ素子１５との距離を極力短くする位置に設置することができる。これにより、従来、インジケーターと発光ダイオード素子との距離を長く確保していたことに比較して、インジケーターの小型化を図ることができる。
【００４２】
本実施形態の回路基板１０は、縦方向に設置され、側面方向に発光するＬＥＤ素子１５が端部に実装されている。また、ＬＥＤ素子１５は、光を射出する発光面が略円弧状の凹部５５１の中心線に略垂直で、発光面の中心が中心線からずれた位置に配置されている。この構成により、発光して側面方向に射出された一部の光は、回路基板１０の面で進行を阻害される場合がある。しかし、このような場合にも、本実施形態の凹部５５１を用いることにより、導光部５１１に光を効率的に拡散させて導光させることができる。
【００４３】
他のインジケーター本体５２，５３においても、インジケーター本体５１と同様の効果を奏することができる。そして、インジケーター５は、上述する効果を有するため、プロジェクター１の外観デザイン（意匠）や、設計の自由度を向上させることが可能となる。
【００４４】
本実施形態のプロジェクター１は、上述する効果を有するインジケーター５を採用しているため、視認性を含む表示品質向上や、小型化や、デザインの自由度向上を図ることができる。
（第２実施形態）
【００４５】
図４は、第２実施形態に係るインジケーター６を示す斜視図であり、図４（ａ）は、インジケーター６及び回路基板１１を上方から見た斜視図であり、図４（ｂ）は、インジケーター６を下方から見た斜視図である。図５は、インジケーター６の動作を示す断面図である。なお、図５は、インジケーター６のＸＺ平面における断面図である。図４、図５を参照して、インジケーター６の構成と動作を説明する。
【００４６】
本実施形態のインジケーター６は、第１実施形態のインジケーター５と比較して、インジケーターの形状が異なる。詳細には、インジケーター６の後述する導光部６１１やトップ部６１２が、幅を含めて面積が広く構成されている。それに伴って凹部６５の形状を第１実施形態の凹部５５の形状と異ならせている。
【００４７】
本実施形態のインジケーター６は、第１実施形態のインジケーター５と同様の場所に設置される。また、回路基板１１は、第１実施形態と同様に、ＬＥＤ素子１６を上端部に実装し、インジケーター６の下方で、縦置きに設置される。
【００４８】
インジケーター６は、第１実施形態と同様に、透光性を有する合成樹脂材料により形成される。インジケーター６は、２つのインジケーター本体６０で構成されている。このインジケーター本体６０に対して、それぞれ前方から６１，６２とする。この２つのインジケーター本体６０は、接続部６４により接続されて一体に構成されている。接続部６４には、２つのインジケーター本体６０に対応して２つの孔部６４１が形成されている。なお、ＬＥＤ素子１６も２つのインジケーター本体６０に対応させて、図４（ａ）に示すように、２つ実装されている。
【００４９】
２つのインジケーター本体６０は、略同様に構成されるため、以降では、一番前方に位置するインジケーター本体６１を取り上げて説明する。
【００５０】
インジケーター本体６１は、導光部６１１と、導光部６１１から導光された光を外部に射出するトップ部６１２とで構成される。導光部６１１は、下方に入射面６１１１が形成され、入射面６１１１から入射した光をトップ部６１２へ導光させる。なお、この入射面６１１１には、ＬＥＤ素子１６の上方向に相対する位置で、凹部６５（インジケーター本体６１の凹部を６５１とする）が形成されている。また、凹部６５１は、回路基板１１のＬＥＤ素子１６との距離を極力短くする位置に設置される。
【００５１】
凹部６５１は、図５に示すように、断面が円弧形状（本実施形態では、半径Ｒ２の円弧形状）を有して形成される。また、凹部６５１は、図４（ｂ）、図５に示すように、この円弧形状の断面に交差する方向に、皿状に延びて形成されている。本実施形態の凹部６５１は、同一中心の球面形状ではなく、縁部側が半径Ｒ２の概皿形状に形成されている。
【００５２】
なお、インジケーター本体６１の導光部６１１、トップ部６１２、入射面６１１１、凹部６５１に対応させて、インジケーター本体６２では、導光部６２１、トップ部６２２、入射面６２１１、凹部６５２とする。これらの構成部は、インジケーター本体６１の対応する構成部と略同様に構成されている。
【００５３】
図５を参照して、インジケーター６（インジケーター本体６１）の動作に関して説明する。
ＬＥＤ素子１６の発光部から光が、側面方向（本実施形態では、上方向）に略円錐状に射出された場合、射出された光は、凹部６５１に入射する。凹部６５１に入射した光は、矢印Ｂで示すように凹部６５１で拡散されて導光部６１１を導光する。導光部６１１を導光した光は、矢印Ｂで示すようにトップ部６１２から外部に射出される。
【００５４】
なお、凹部６５１は、図４（ｂ）に示すように、入射面６１１１において、概皿形状に形成されているため、略円錐状に射出された光は、概皿形状の凹部６５１全体に入射し、導光部６１１を導光し、トップ部６１２から射出される。
以上の動作により、幅を含む面積が第１実施形態のトップ部５１２に比較して広く形成されたトップ部６１２からは、全体（全面）に渡って略均一の光が射出される。
【００５５】
なお、上述したインジケーター本体６１の動作は、インジケーター本体６２に対しても同様の動作となり、同様に、トップ部６２２からは全体（全面）に渡って略均一の光が射出される。
【００５６】
第２実施形態に係るインジケーター６は、第１実施形態のインジケーター５と比較して、インジケーター６の導光部６１１やトップ部６１２が、幅を含めて面積が広く構成されている。それに伴って凹部６５の形状を第１実施形態の凹部５５の形状と異ならせている。これ以外の点では第１実施形態と同様であるため、第１実施形態に係るインジケーター５が有する効果のうち該当する効果をそのまま有する。そして、第２実施形態は、以下の効果が得られる。
【００５７】
本実施形態のインジケーター６は、凹部６５が半径Ｒ２の円弧形状を有して皿状に延びて形成される。これにより、インジケーター本体６０の幅を含む面積が広い場合にも、トップ部６１２，６２２の全面に渡って均一で適切な明るさを確保することができる。
【００５８】
また、第１、第２実施形態のインジケーター５，６のように、凹部５５，６５は、断面が略円弧状を有し、断面に交差する方向に延びて形成されることにより、インジケーター本体５０，６０の幅が狭い場合や広い場合等に、凹部の形状で容易に対応させることができ、広範囲に均一で適切な明るさを確保することができる。言い換えると、さまざまな形状を有して構成されるインジケーターに対応させて、広範囲に均一で適切な明るさを確保させる凹部を容易に形成することができる。
【００５９】
なお、上述した実施形態に限定されず、その要旨を逸脱しない範囲において種々の変更や改良等を加えて実施することが可能である。変形例を以下に述べる。
【００６０】
前記第１実施形態のインジケーター５において、凹部５５は、断面が半径Ｒ１の円弧形状を有し、直線状の半円筒状に形成されている。しかし、これに限られず、曲線状の半円筒状に形成されていてもよい。
【００６１】
前記第１実施形態のインジケーター５において、凹部５５は、断面が半径Ｒ１の円弧形状を有し、直線状の半円筒状で、導光部５１１，５２１，５３１の幅全体に渡って形成されている。しかし、幅全体に渡って形成されていなくてもよく、導光部やトップ部の幅がある程度広い場合には、適宜、幅方向の長さ（半円筒状の長さ）を設定できる。
【００６２】
前記第２実施形態のインジケーター６において、凹部６５は、断面が半径Ｒ２の円弧形状を有し、概皿形状に形成されている。しかし、これに限定されず、例えば、入射面６１１１に凹部として、第１実施形態での凹部５５と同様に、円弧形状の断面を有した半円筒状に形成される凹部を形成してもよい。この場合、半円筒状の長さは、幅全体に渡って形成されてもよいし、幅全体に形成されなくてもよい。
【００６３】
前記第１実施形態のインジケーター５はプロジェクター１に設置されている。しかし、プロジェクター１に限られず、様々な電子機器に設置されることでもよく、様々な電子機器の外装筺体に露出して設置されて、電子機器の現在の状態を利用者に知らせるようにしてもよい。
【００６４】
前記第１実施形態のインジケーター５において、凹部５５は、断面が半径Ｒ１の円弧形状を有している。しかし、均一な半径には限られず、インジケーター５のトップ部（例えば、トップ部５１２）が、全面に渡って均一で適切な明るさを確保できるように円弧形状を設定することでよい。これは、第２実施形態においても同様である。
【００６５】
前記第１実施形態のインジケーター５において、凹部５５１は、入射面５１１１の一部に形成されている。しかし、凹部は、入射面の一部に形成されるものとは限られず、入射面全体に形成されていてもよい。言い換えると、凹部が入射面全体を構成してもよい。
【００６６】
前記第１実施形態において、インジケーター５に向けて光を射出するものとして、ＬＥＤ素子１５を用いているが、これに限られず、光を射出するものであればよい。
【符号の説明】
【００６７】
１…プロジェクター、２…外装筺体、５，６…インジケーター、１５，１６…発光ダイオード素子、５０（５１，５２，５３）…インジケーター本体、５５（５５１，５５２，５５３）…凹部、６０（６１，６２）…インジケーター本体、６５（６５１，６５２）…凹部。
【図１】
2013015750.tif 000003
【図２】
2013015750.tif 000004
【図３】
2013015750.tif 000005
【図４】
2013015750.tif 000006
【図５】
2013015750.tif 000007